(57)【要約】【課題】  包装作業性が良好でかつ高い緩衝性を有する片口金蛍光ランプを収容するための蛍光ランプ用包装容器を提供する。【解決手段】  蛍光ランプ用包装容器１０は、ブリッジ接合した複数の発光管Ｖを有する片口金蛍光ランプを収容するための直方体形状を有し、蛍光ランプ収納時に前記発光管先端部に対向する面に配置される蓋部材５０が、その面を覆うための蓋フラップ１８ａと、複数の発光管先端部Ａの間に差し込むための差し込み片２０を有する内側フラップ１８ｂ、１８ｂ’とを備える。内側フラップ１８ｂ、１８ｂ’は、向い合って設けられ、その差し込み片２０、２０’は互いに並列的に発光管先端部Ａの間に差し込まれる。【選択図】図２
2007261657.tif 000002
【特許請求の範囲】
【請求項１】
ブリッジ接合した複数の発光管を有する片口金蛍光ランプを収容するための直方体形状の蛍光ランプ用包装容器であって、前記蛍光ランプ収納時に前記発光管先端部に対向する面に配置される蓋部材が、前記面を覆うための蓋フラップと、前記複数の発光管先端部の間に差し込むための差し込み片と連結された内側フラップとを備えたことを特徴とする蛍光ランプ用包装容器。
【請求項２】
前記差し込み片と連結された内側フラップを２つ備え、前記２つの内側フラップが向い合って設けられることを特徴とする請求項１記載の蛍光ランプ用包装容器。
【請求項３】
前記差し込み片の縦方向長さが、５ｍｍ〜１５ｍｍの範囲であることを特徴とする請求項１または２記載の蛍光ランプ用包装容器。
【請求項４】
前記差し込み片の横方向端部の一方が、前記蛍光ランプ収容時に前記発光管の一つに接するように前記差し込み片の横幅が設定されることを特徴とする請求項１〜３のいずれかに記載の蛍光ランプ用包装容器。
【請求項５】
前記蓋フラップおよび内側フラップが、互いに重なり合うリーク確認窓を有することを特徴とする請求項１〜４のいずれかに記載の蛍光ランプ用包装容器。
【発明の詳細な説明】
【技術分野】
【０００１】
本発明は蛍光ランプ用包装容器に係り、特にブリッジ接合した複数の発光管を有する片口金蛍光ランプを収容するための蛍光ランプ用包装容器に関する。
【背景技術】
【０００２】
従来から、片口金蛍光ランプを収容するための包装容器としては、直方体形状の蛍光ランプ用包装容器が用いられている。片口金蛍光ランプは、ブリッジ接合した複数の発光管とそれらのための口金部とを備える。ブリッジ接合した発光管は、例えばＵ字曲げ部もしくは接合部を有する発光管であり、例えばいわゆるコンパクト形蛍光ランプに用いられる。この種の蛍光ランプ用包装容器は、容器内の蛍光ランプが外部からの衝撃により破損しないように、その内部に蛍光ランプの周りを取り囲む緩衝材を別部材として付帯させている。
【０００３】
ところで、電球包装用ケースとしては、特許文献１に記載の技術が知られている。この技術は、電球の包装において、電球の口金部分も含めてしっかり保護し、ケースのサイズをできるだけ小さくしてケースの素材を節約しコストダウンできる電球包装用ケースを提供しようとするものである。
【特許文献１】特開２００６−００８１４３号公報
【発明の開示】
【発明が解決しようとする課題】
【０００４】
しかしながら、片口金蛍光ランプを収容するための包装容器としては、依然として容器内で蛍光ランプを取り囲む緩衝材が用いられている。緩衝材を用いる場合、別部材としての緩衝材を蛍光ランプとともに包装容器に収容しなければならず包装作業性が悪いという問題がある。また、緩衝材を包装容器毎に別途用意しなければならずコスト的に不利という問題もある。
【０００５】
従って本発明の目的は、従来のような別部材としての緩衝材を有することなく、包装作業性が良好でかつ高い緩衝性を有する片口金蛍光ランプを収容するための蛍光ランプ用包装容器を提供することにある。
【課題を解決するための手段】
【０００６】
上記目的は、ブリッジ接合した複数の発光管を有する片口金蛍光ランプを収容するための直方体形状の蛍光ランプ用包装容器であって、前記蛍光ランプ収納時に前記発光管先端部に対向する面に配置される蓋部材が、前記面を覆うための蓋フラップと、前記複数の発光管先端部の間に差し込むための差し込み片と連結された内側フラップとを備えた蛍光ランプ用包装容器により、達成される。
【０００７】
ここで、前記差し込み片と連結された内側フラップを２つ備え、前記２つの内側フラップが向い合って設けられるようにすることができる。前記差し込み片の縦方向長さは、５ｍｍ〜１５ｍｍの範囲であることが好ましい。また、前記差し込み片の横方向端部の一方が、前記蛍光ランプ収容時に前記発光管の一つに接するように前記差し込み片の横幅が設定されることが好ましい。さらに、前記蓋フラップおよび内側フラップは、互いに重なり合うリーク確認窓を有することができる。
【発明の効果】
【０００８】
本発明によれば、従来のような別部材としての緩衝材を用いることなく、包装作業性が良好でかつ高い緩衝性を有する片口金蛍光ランプを収容するための蛍光ランプ用包装容器を得ることができる。これにより、蛍光ランプは、包装容器内に緩衝材がないにもかかわらず、安定性良く収容することができ、また外部からの衝撃に対して十分な緩衝作用を受けることができる。
【発明を実施するための最良の形態】
【０００９】
以下、本発明に係る蛍光ランプ用包装容器の実施例について図面を用いて説明する。
（実施例１）
図１は本発明に係る蛍光ランプ用包装容器の一実施例を示す展開図であり、図２は本発明に係る蛍光ランプ用包装容器の一実施例を示す斜視図である。
蛍光ランプ用包装容器１０は、図２に示すように、ブリッジ接合した複数の発光管Ｖと、発光管Ｖの片方に設けられた口金Ｄとを有する片口金蛍光ランプＡを収容するもので、ほぼ直方体形状を有している。図示の発光管ＶはいわゆるＵ字曲げ部を有するものであるが、これに限定されず、接合部を有する発光管の場合も同様に適用することができる。ここで、蛍光ランプ収納時に発光管先端部Ａに対向する面に配置される蓋部材５０は、差し込み片１８を有する前記面を覆うための蓋フラップ１８ａと、複数の発光管先端部Ａの間に差し込むための差し込み片２０と連結された内側フラップ１８ｂとを備える。以下、蛍光ランプ用包装容器１０の構造を詳述する。
【００１０】
蛍光ランプ用包装容器１０は、図１の展開図に示すように、その側面が第１片１１〜第４片１４を連結して形成される。第１片１１の側部の一方は折り畳み線ｓを介して糊代片１５に連結され、第１片１１の側部の他方は折り畳み線ｓを介して第２片１２の側部の一方に連結され、第２片１２の側部の他方は折り畳み線ｓを介して第３片１３の側部の一方に連結され、第３片１３の側部の他方は折り畳み線ｓを介して第４片１４の側部の一方に連結され、第４片１４の側部の他方は第１片１１の側部の一方に連結された糊代片１５に張り合わされる。
【００１１】
第１片１１は、その上部にフック形成片２１が２つの折り畳み線ｐを介して連結されており、２つの折り畳み線ｐを挟んだ両側にはフック用穴２２がそれぞれ設けられている。図２に示すように、フック形成片２１を２つの折り畳み線ｐにそって第１片側に折り曲げることによりフック部が補強され、また２つのフック用穴２２が重なり合う。このフック用穴２２は商品陳列用のフックに掛けるのに都合のよい大きさに設定される。
第２片１２は、その上部に内側フラップ１８ｂが折り畳み線ｐを介して連結されている。内側フラップ１８ｂは蓋部材５０の構成部材の一つであり、複数の発光管先端部Ａの間に差し込むための差し込み片２０が折り畳み線ｒを介して連結されている。また、第２片１２は、その下部に内側フラップ１６ｂが折り畳み線ｏを介して連結されている。内側フラップ１６ｂは底部材５１の構成部材の一つである。
【００１２】
第３片１３は、その上部に蓋フラップ１８ａが連結されている。蓋フラップ１８ａは蓋部材５０の構成部材の一つであり、蓋フラップ１８ａで前記面を開閉可能とするための差し込み片１９が折り畳み線ｔを介して連結されている。また、第３片１３は、その下部に底閉塞フラップ１６ａが折り畳み線ｏを介して連結されている。底閉塞フラップ１６ａは底部材５１の構成部材の一つであり、底閉塞フラップ１６ａで前記底を開閉可能とするための差し込み片１７が折り畳み線ｔを介して連結されている。
第４片１４は、第２片１２と同様に、その上部に内側フラップ１８ｂ’が折り畳み線ｐを介して連結されている。内側フラップ１８ｂ’は蓋部材５０の構成部材の一つであり、複数の発光管先端部Ａの間に差し込むための差し込み片２０’が折り畳み線ｒを介して連結されている。また、第４片１４は、その下部に内側フラップ１６ｂ’が連結されている。内側フラップ１６ｂ’は底部材５１の構成部材の一つである。
【００１３】
また、蓋フラップ１８ａおよび内側フラップ１８ｂ’には、互いに重なり合うリーク確認窓２３が開けられている。この確認窓２３は、蛍光ランプが正常か異常かを包装容器の外から専用のテスターにより検査するために設けられる。このテスターを作動させた場合、リーク確認窓２３から、蛍光ランプがリークなしのときは蛍光ランプは正常のため点灯し光が見えるが、リークありのときは蛍光ランプは異常のため点灯せず光が見えない。
【００１４】
内側フラップ１８ｂ、１８ｂ’は、それぞれ向い合って設けられており、折り畳み線ｐで直角に折り畳んだとき互いにほぼ接触するようにその縦方向長さＨが設定され、また、蓋フラップ１８ａの差し込み片１９と干渉しないようにそれぞれ段差Ｅが形成されている。内側フラップ１８ｂ、１８ｂ’の差し込み片２０、２０’の縦方向長さＧおよび横幅Ｍの値は、差し込み片による発光管先端部の固定の確実性および差し込み作業の容易性を勘案してそれぞれ適宜選択される。差し込み片２０、２０’は折り畳み線ｒで直角に折り畳まれ、互いに並列的に発光管先端部Ａの間に差し込まれる。
このように本発明は、包装容器に収納する片口金蛍光ランプの形状を利用して、包装容器の部材を用いて片口金蛍光ランプを動き難くして、外部からの衝撃に対して十分な緩衝作用を得ようとするものである。
【００１５】
（実施例２）
図３は本発明に係る蛍光ランプ用包装容器の他の実施例を示す展開図であり、図４は本発明に係る蛍光ランプ用包装容器の他の実施例を示す側面断面図である。
本実施例が実施例１と異なる点は、第４片１４の内側フラップ１８ｂ’が複数の発光管先端部Ａの間に差し込まれるべき差し込み片を連結していないところにある。すなわち本実施例では、第２片１２の差し込み片２０だけが、複数の発光管先端部Ａの間に差し込まれる。図４に示すように、差し込み片２０は、複数のＵ字曲げ部を有する発光管先端部Ａの近傍間に設けられた補強材Ｗに突き当たるまで差し込むことができる。このように、第２片１２の差し込み片２０だけでも、片口金蛍光ランプを動き難くして、外部からの衝撃に対して十分な緩衝作用を持たせることができる。本実施例は実施例１よりも簡易な構造の蛍光ランプ用包装容器を得ることができる。
【００１６】
（実施例３）
図５は本発明に係る蛍光ランプ用包装容器の他の実施例を示す図であり、（ａ）は上面図、（ｂ）は断面図である。
本実施例が実施例１、２と異なる点は、内側フラップ１８ｂ（および１８ｂ’）の差し込み片２０（および２０’）の縦方向長さＧを特に好適な値に設定したところにある。すなわち、本実施例では、差し込み片２０（および２０’）の縦方向長さＧが、５ｍｍ〜１５ｍｍの範囲で選択される。これは、縦方向長さＧが５ｍｍより短いと発光管先端部Ａの隙間部への差し込み深さが足りなくなり発光管先端部の固定を十分に行うことができず、また１５ｍｍより長いと実際に差し込み作業を行う場合に差し込みがやりにくくなるからである。本実施例では、差し込み片２０（および２０’）の縦方向長さＧは、複数のＵ字曲げ部を有する発光管先端部近傍間に設けられた補強材Ｗに接触する位置まで伸びているが、本発明はこれに限定されず、これよりも短くてもよい。
【００１７】
（実施例４）
図６は本発明に係る蛍光ランプ用包装容器の他の実施例を示す図であり、（ａ）は上面図、（ｂ）は側面断面図である。
本実施例が実施例１、２と異なる点は、内側フラップ１８ｂ（および１８ｂ’）の差し込み片２０（および２０’）の横幅Ｍを特に好適な値に設定したところにある。すなわち、本実施例では、差し込み片２０（および２０’）の横幅Ｍは、差し込み片２０（および２０’）の横方向端部の一方が、蛍光ランプ収容時に発光管の一つに、図６に示す地点Ｘで接するように設定される。これにより、本実施例では、当該発光管先端部の動きが制限され蛍光ランプ全体への耐振動性を向上することができる。
【００１８】
以上の実施例では、蛍光ランプとしてＵ字曲げ部を有する発光管について説明したが、複数の直線状の発光管を接合した蛍光ランプにも同様に適用することができる。すなわち、本発明に係る蛍光ランプ用包装容器は、電球形蛍光ランプやＦＨＴランプ等のＵ字曲げ部もしくは接合部を有する片口金コンパクト形蛍光用包装容器に好適に用いることができる。また、蛍光ランプ用包装容器の材質は各種ダンボールを用いることができるが、これに限定されるものではない。
【産業上の利用可能性】
【００１９】
本発明は蛍光ランプ用包装容器に係り、特にブリッジ接合した複数の発光管を有する片口金蛍光ランプを収容するための蛍光ランプ用包装容器に関するものであり、産業上の利用可能性がある。
【図面の簡単な説明】
【００２０】
【図１】本発明に係る蛍光ランプ用包装容器の一実施例を示す展開図である。
【図２】本発明に係る蛍光ランプ用包装容器の一実施例を示す斜視図である。
【図３】本発明に係る蛍光ランプ用包装容器の他の実施例を示す展開図である。
【図４】本発明に係る蛍光ランプ用包装容器の他の実施例を示す側面断面図である。
【図５】本発明に係る蛍光ランプ用包装容器の他の実施例を示す図であり、（ａ）は上面図、（ｂ）は断面図である。
【図６】本発明に係る蛍光ランプ用包装容器の他の実施例を示す図であり、（ａ）は上面図、（ｂ）は側面断面図である。
【符号の説明】
【００２１】
１０  蛍光ランプ用包装容器
１１  第１片
１２  第２片
１３  第３片
１４  第４片
１５  糊代片
１６ａ  底閉塞フラップ
１６ｂ、１６ｂ’  内側フラップ
１７  差し込み片
１８ａ  蓋フラップ
１８ｂ、１８ｂ’  内側フラップ
１９  差し込み片
２０、２０’  差し込み片
２１  フック形成片
２２  フック用穴
２３  リーク確認窓
【図１】
2007261657.tif 000003
【図２】
2007261657.tif 000004
【図３】
2007261657.tif 000005
【図４】
2007261657.tif 000006
【図５】
2007261657.tif 000007
【図６】
2007261657.tif 000008